(57)【要約】【課題】  外壁材を再塗装の工程順に展示し、外壁材の再塗装前の状態から再塗装後までの各工程を把握することのできる外壁材の再塗装工程展示を提供することを目的とする。【解決手段】  外壁材の再塗装工程展示１は、平板状の外壁材２を再塗装の工程順に展示したものであって、再塗装の工程の順序は、再塗装前の状態２１、洗浄後の状態２２、下塗り後の状態２４、上塗り後の状態２５の順となっている。【選択図】図１
2020052297.tif 000002
【特許請求の範囲】
【請求項１】
平板状の外壁材を再塗装の工程順に展示した外壁材の再塗装工程展示であって、
前記再塗装の工程の順序は、再塗装前の状態、洗浄後の状態、下塗り後の状態、上塗り後の状態の順であることを特徴とする外壁材の再塗装工程展示。
【請求項２】
前記再塗装の工程の順序は、前記洗浄後の状態と、前記下塗り後の状態と、の間にシーラー処理後の状態を挟むことを特徴とする請求項１に記載の外壁材の再塗装展示。
【請求項３】
前記外壁材は、目地を挟んで複数並べられ、
前記再塗装の工程は、前記目地を跨ぐとともに、前記目地に対して斜めに区分けされることを特徴とする請求項１又は請求項２に記載の外壁材の再塗装工程展示。
【請求項４】
前記外壁材に隣接して再塗装不良状態の塗装不良外壁材を展示することを特徴とする請求項１から請求項３のいずれかに記載の外壁材の再塗装工程展示。
【請求項５】
前記外壁材及び前記塗装不良外壁材は、建物内部の壁体に設置されており、
前記塗装不良外壁材は、正面に開閉自在な隠蔽手段を設置されることを特徴とする請求項４に記載の外壁材の再塗装工程展示。
【発明の詳細な説明】
【技術分野】
【０００１】
本発明は、外壁材を再塗装の工程順に展示した外壁材の再塗装工程展示に関する。
【背景技術】
【０００２】
従来より、住宅などの建物の外壁改修工事を検討している顧客に対して、塗装予定の塗料で着色された塗り見本を提示し、外壁を再塗装した場合の仕上がりを予め目視及び指触確認できる発明が考案されている。（例えば、特許文献１）。この発明では、顧客が外壁改修工事を行う前に事前に外壁材の仕上がりを把握することができるので、顧客は不安や疑問を抱えることなく安心して工事を行うことができる。
【０００３】
また、住宅の購入を検討している顧客に対して、外壁材の塗装品質を知ってもらうための擬似展示装置が考案されている（例えば、特許文献２）。この擬似展示装置は、パネル状の外壁材に似せた擬似パネルをコンベアで搬送するとともに、コンベアの中間に設置されるフローコースターによって外壁材と同様の塗装を擬似パネルに施す装置であり、顧客は擬似パネルの塗装状態を見ることで実際に工場で生産される外壁材の塗装品質がどの程度安定したものであるかといった概略を知ることができる。
【先行技術文献】
【特許文献】
【０００４】
【特許文献１】特開２００９−２６５５８７
【特許文献２】特開平１１−２１９１１９
【発明の概要】
【発明が解決しようとする課題】
【０００５】
しかしながら、特許文献１に記載の発明は、再塗装された外壁材の仕上がりを提示するものであり、仕上げ用の塗料を塗布するまでの工程である外壁材の洗浄後の状態や下塗り後の状態などの途中過程を確認することはできない。また、特許文献２に記載の発明は、工場内の各装置によって製作される外壁材の塗装状況を示すためのものであるため、現場で行われる既存外壁材の再塗装の各工程を確認することはできない。そのため、自身の住宅の外壁改修工事を検討している顧客は、外壁材がどのような工程で再塗装されるか把握することができず、外壁改修工事の内容を十分理解できない可能性がある。
【０００６】
そこで、本発明は、上述した課題を鑑みてなされたものであって、外壁材を再塗装の工程順に展示し、外壁材の再塗装前の状態から再塗装後までの各工程を把握することのできる外壁材の再塗装工程展示を提供することを目的とする。
【課題を解決するための手段】
【０００７】
本発明の第１の外壁材の再塗装工程展示は、平板状の外壁材を再塗装の工程順に展示した外壁材の再塗装工程展示であって、前記再塗装の工程の順序は、再塗装前の状態、洗浄後の状態、下塗り後の状態、上塗り後の状態の順であることを特徴としている。
【０００８】
本発明の第２の外壁材の再塗装工程展示は、前記再塗装の工程の順序が、前記洗浄後の状態と、前記下塗り後の状態と、の間にシーラー処理後の状態を挟むことを特徴としている。
【０００９】
本発明の第３の外壁材の再塗装工程展示は、前記外壁材は、目地を挟んで複数並べられ、前記再塗装の工程は、前記目地を跨ぐとともに、前記目地に対して斜めに区分けされることを特徴としている。
【００１０】
本発明の第４の外壁材の再塗装工程展示は、前記外壁材に隣接して再塗装不良状態の塗装不良外壁材を展示することを特徴としている。
【００１１】
本発明の第５の外壁材の再塗装工程展示は、前記外壁材及び前記塗装不良外壁材は、建物内部の壁体に設置されており、前記塗装不良外壁材は、正面に開閉自在な隠蔽手段を設置されることを特徴としている。
【発明の効果】
【００１２】
本発明の第１の外壁材の再塗装工程展示によると、外壁材を再塗装前の状態、洗浄後の状態、下塗り後の状態、上塗り後の状態という再塗装の工程順に展示しているので、自身の住宅の外壁改修工事を検討している顧客は、外壁材がどのような工程を経て改修されるか予め把握することができ、外壁改修工事に対する知識を深めて不安や疑問を解消することができる。
【００１３】
本発明の第２の外壁材の再塗装工程展示によると、再塗装の工程の順序は、洗浄後の状態と、下塗り後の状態と、の間にシーラー処理後の状態を挟んでいるので、下塗りの前にシーラー処理をすることによって下塗り及び上塗りの塗料と外壁材との密着性を向上させるなどの効果を知ることができ、顧客は、外壁改修工事に対する知識をより一層深めることができる。
【００１４】
本発明の第３の外壁材の再塗装工程展示によると、外壁材は、目地を挟んで複数並べられ、再塗装の工程は、目地を跨いで区分けされるので、外壁材だけでなく目地部分がどのように再塗装されるかを外壁改修工事前に把握することができる。また、再塗装の工程は目地に対して斜めに区分けされているので、区分け部分を誤って目地部分と認識することがなく、正確に各工程の状態を認識することができる。
【００１５】
本発明の第４の外壁材の再塗装工程展示によると、再塗装の工程に隣接して再塗装不良状態の塗装不良外壁材を展示しているので、顧客は、各工程を経て形成される外壁材と、塗装不良外壁材との違いを比較することができ、塗装工程の重要性を認識することができる。
【００１６】
本発明の第５の外壁材の再塗装工程展示によると、外壁材及び塗装不良外壁材は、建物内部の壁体に設置されており、塗装不良外壁材は、正面に開閉自在な隠蔽手段を設置されるので、隠蔽手段を開閉することで外壁材と塗装不良外壁材との比較を必要に応じて行うことができる。
【図面の簡単な説明】
【００１７】
【図１】顧客に外壁材の再塗装工程展示を説明する状況を示す斜視図。
【図２】外壁材の再塗装工程展示を示す斜視図。
【図３】塗装不良外壁材及び隠蔽手段を具備する外壁材の再塗装工程展示を示す斜視図。
【図４】塗装不良外壁材及び隠蔽手段を示す斜視図。
【発明を実施するための形態】
【００１８】
以下、本発明に係る外壁材の再塗装工程展示の最良の実施形態について図１から図４を参照しつつ説明する。外壁材の再塗装工程展示は、主に住宅の様々な性能や内部構造を観覧、体感できる住環境展示施設のような屋内施設に設置され、住宅の外壁改修工事を検討している顧客に対して説明を行う際に用いられる。
【００１９】
外壁材の再塗装工程展示１は、図１及び図２に示すように、平板状の外壁材２を屋内施設の壁体Ｗに再塗装の工程順に展示したものであり、外壁材２は、目地３を挟んで複数並べて配置されている。また、再塗装の各工程は、目地３を跨ぐとともに、目地３に対して斜めに区分けされており、再塗装前の状態２１、洗浄後の状態２２、シーラー処理後の状態２３、下塗り後の状態２４、上塗り後の状態２５の順に並べられている。
【００２０】
図２に示すように、外壁材２は平板状の外壁パネルであり、例えば、住宅用外壁材として一般的に広く普及している窯業系サイディング材や、軽量気泡コンクリートで形成される。外壁材２は、水平方向へ複数枚並べて配置され、外壁材２同士の間で垂直方向へ延びる目地３には、実際の住宅の外壁に使用されるシーリング材などの目地充填材が打設されている。
【００２１】
外壁材２の再塗装前の状態２１は、例えば建設されてから１０年〜１５年程度経過した既存住宅の外壁材２の状態を表わしており、表面の色褪せや汚れ２１ａ、チョーキング現象などが目立ち劣化した状態となっている。
【００２２】
外壁材２の洗浄後の状態２２は、再塗装前の状態２１を水で高圧洗浄した後の状態を表わしており、外壁材２の表面についたコケやカビ、その他の汚れ２１ａが洗い落とされた状態となっている。また、洗浄後の状態２２に位置する目地３は、劣化している古いシーリング材を洗浄前に撤去して新しいシーリング材に打ち替えられており、防水機能を保持した状態となっている。
【００２３】
外壁材２のシーラー処理後の状態２３は、洗浄後の状態２２の外壁材２に液体状のシーラー材を塗布した状態であり、このシーラー材は、外壁材２に塗布することにより、劣化して脆くなった外壁材２の表面を強化するとともに、外壁材２と下塗り及び上塗り用の塗料との密着性を向上させ、また、下塗り及び上塗り用塗料の外壁材２への染み込みを防止して防水性を高めることができる。シーラー材は、半透明や薄い色の塗料であるため上から下塗り及び上塗り用の塗料で仕上げ塗りをしてもシーラー材の色が透けて見えることはなく、使用される下塗り及び上塗り用の塗料に適した水性又は油性のものを選択される。
【００２４】
外壁材２の下塗り後の状態２４は、シーラー処理後の状態２３の上から下塗りとして仕上げ用の塗料を塗布した状態を表わしており、また、上塗り後の状態２５は、下塗り後の状態２４の上から上塗りとして再び仕上げ用の塗料を塗布した状態を表わしている。このように、仕上げ用の塗料を複数回塗布することにより、再塗装した外壁材２の色むらや透けを防止するとともに、外壁材２の耐久性をより強化することができる。
【００２５】
またこのとき、各工程は目地３を跨いで区分けされているので、外壁材２だけでなく目地３の各工程ごとの状態を観覧することができ、外壁改修工事前後の外壁材２及び目地３の変化を確認することができる。そして、各工程は目地３に対して斜めに区分けされているので、区分け部分を誤って目地３部分と認識する虞がなく、正確に各工程の状態を認識することができる。さらに各工程は、上塗り後の状態２５の面積を最も大きいものとしており、各工程を観覧しながらも、再塗装後の仕上がりをよりイメージしやすいものとしている。
【００２６】
このように形成される外壁材の再塗装工程展示１は、図１に示すように、屋内施設の案内員４によって外壁改修工事の内容を顧客５に説明する際に用いられる。顧客５は、案内員４の説明と併せて工程展示を観覧することにより、外壁改修工事に対する疑問や不安を解消して安心して外壁改修工事を行うことができる。なお、先述したシーラー処理は外壁材２の再塗装前の状態によっては省略する場合があるため、シーラー処理後の状態２３は、必ずしも洗浄後の状態２２と下塗り後の状態２４との間に挟む必要はない。
【００２７】
また外壁材の再塗装工程展示１は、図３に示すように、再塗装不良状態の塗装不良外壁材６を外壁材２に隣接して展示してもよい。この塗装不良外壁材６は、先述した外壁材２の再塗装の工程を一部省略又は各工程を不十分な仕上げとすることによって外壁材２の表面に不具合が発生した状態を表わしている。例えば、外壁材２の表面の汚れを十分に洗い落とさないまま仕上げ塗料を塗布したために起こる仕上げ塗料の剥離や、下塗りを省略したために外壁材２の表面本来の色が塗膜を通して透けて見えるなどの不具合が表れており、再塗装の失敗例として展示される。
【００２８】
また図４に示すように、壁体Ｗの外壁材２を設置する側の面から壁体Ｗの厚さ方向へ凹む正面視略矩形の開口部７を壁体Ｗに形成し、この開口部７の内部に塗装不良外壁材６を設置して、塗装不良外壁材６の正面に開閉自在な引き戸８を設置してもよい。図１の案内員４は、図４に示す引き戸８を開閉することによって塗装不良外壁材６を露出又は隠蔽することができ、説明の際に必要に応じて引き戸８を開け、顧客５に外壁材２と塗装不良外壁材６との違いを説明することができる。なお、塗装不良外壁材６を露出又は隠蔽することができるのであれば、引き戸以外に開き扉やロールカーテンなど他の隠蔽手段を用いてもよい。
【００２９】
このように塗装不良外壁材６を外壁材２に隣接して展示することにより、顧客５は、案内員４の説明を聞きながら外壁材２と塗装不良外壁材６との違いを目視で比較することができるので、塗装工程の重要性を認識して外壁改修工事に対する知識をより一層深めることができる。
【００３０】
このように形成される外壁材の再塗装工程展示１は、単純に再塗装して仕上がった状態の外壁材２を見本として展示するのではなく、外壁材２の再塗装前の状態から再塗装後の状態までを各工程ごとに順序立てて展示しているので、顧客５は、実際に外壁改修工事を開始しなければ確認することのできない再塗装の途中過程を事前に確認することができ、外壁改修工事に関する疑問や不安を解消して安心して工事を行うことができる。
【００３１】
なお、本発明の実施の形態は上述の形態に限ることなく、本発明の思想の範囲を逸脱しない範囲で適宜変更することができる。
【産業上の利用可能性】
【００３２】
本発明に係る外壁材の再塗装工程展示１は、住宅の外壁改修工事を検討する顧客に対して説明を行う際に好適に使用することができる。
【符号の説明】
【００３３】
１      外壁材の再塗装工程展示
２      外壁材
２１    再塗装前の状態
２２    洗浄後の状態
２３    シーラー処理後の状態
２４    下塗り後の状態
２５    上塗り後の状態
３      目地
６      塗装不良外壁材
８      引き戸（隠蔽手段）
【図１】
2020052297.tif 000003
【図２】
2020052297.tif 000004
【図３】
2020052297.tif 000005
【図４】
2020052297.tif 000006